(57)【要約】      （修正有）【課題】ブラジャーを着用したままで装着と位置調整が容易にでき、専用の取付具を用いることなく使用中のズレを抑制できるブラジャー汗取りパットを提供する。【解決手段】左右の乳房をそれぞれ覆うように頂上部を有する山形状の立体構造をした一対のバスト部１と、左右の頂上部を結ぶバストラインＬ１より２ｃｍから７ｃｍ下方を交点として上向きに拡開する上縁部２と、一対のバスト部の下方に位置して、アンダーバストラインＬ２より３ｃｍから６ｃｍ下方に位置して展開状態で直線状の下縁部３と、バスト部の頂上部を含むように上部と下部とを分離して縫合する切替線６とアンダーバストラインとの間に位置して左右の乳房の付け根の輪郭に添う立体構造ではなく輪郭を有しない平面状の一対のバスト下部４と、一対のバスト下部から続いて移行しているアンダーバストラインと下縁部との間に位置する展開状態で平面構造の平面部５と、を備える。【選択図】図１
0003230602.tif 000002
【実用新案登録請求の範囲】
【請求項１】
左右の乳房をそれぞれ覆うように頂上部を有する山形状の立体構造をした一対のバスト部と、
左右の前記頂上部を結ぶバストラインより２ｃｍから７ｃｍ下方を交点として上向きに拡開するＶ字形の上縁部と、
前記一対のバスト部の下方に位置して、前記一対のバスト部のアンダーバストラインより３ｃｍから６ｃｍ下方に位置して展開状態で直線状の下縁部と、
前記バスト部の前記頂上部を含むように上部と下部とで切り替える切替線と前記アンダーバストラインとの間に位置して左右の乳房の付け根の輪郭に添う立体構造をしているのではなく前記輪郭を有しない平面状の一対のバスト下部と、
前記一対のバスト下部から続いて移行している前記アンダーバストラインと前記下縁部との間に位置する展開状態で平面構造の平面部と、
を備える、
ことを特徴とするブラジャー汗取りパット。
【請求項２】
請求項１に記載のブラジャー汗取りパットにおいて、
人体に接しない側に布製の外面部を備える、
ことを特徴とするブラジャー汗取りパット。
【請求項３】
請求項１又は請求項２に記載のブラジャー汗取りパットにおいて、
人体に接する側に布製の内面部を備える、
ことを特徴とするブラジャー汗取りパット。
【考案の詳細な説明】
【技術分野】
【０００１】  本考案は、ブラジャーと人体との間に装着されるブラジャー汗取りパットに関する。
【背景技術】
【０００２】  従来から、市販のブラジャーの内側に、人体に直接触れる汗取りパットを設けることは周知である。
１．使用者がブラジャー汗取りパットを装着するとき、ブラジャー自体に取付具を介して汗取りパットを取り付けてから、そのブラジャーを着用することで装着に至る汗取りパットと、始めに汗吸収体を装着し、その上にブラジャーを着用することで装着に至る汗吸収体が知られている（例えば、特許文献１参照）。
２．ブラジャー着用後に、装着が可能である汗取りパットが知られている（例えば、非特許文献１参照）。
３．固定とズレ防止の為、取付具を備えた汗取りパットが知られている（例えば、非特許文献１参照）。
４．汗取りパットの人体に当てる領域がバストラインより下方のみで、展開状態において平面構造であり、汗取りパットとブラジャーの内側のアンダーバスト部とを粘着剤で接着する汗取りパットが知られている（例えば、特許文献２参照）。
【先行技術文献】
【特許文献】
【０００３】
【特許文献１】実全平０４−０７８２０４号公報
【特許文献２】意登１４７４９８４号公報
【非特許文献】
【０００４】
【非特許文献１】「株式会社犬印本舗  公式ホームページ」、株式会社犬印本舗、Ｐ７９４４ＳＫ  ブラジャー汗取りパット  ３枚セット  ｈｔｔｐｓ：／／ｗｗｗ．ｉｎｕｊｉｒｕｓｈｉ．ｃｏ．ｊｐ／ｉｎｎｅｒ／ｐ７９４４ｓｋ／
【考案の概要】
【考案が解決しようとする課題】
【０００５】  しかしながら、上述した１に開示の技術では、装着に手間を要するという問題が生じていた。【０００６】  また、上述した２に開示の技術では、ブラジャーを着用したまま汗取りパットの装着は可能であるものの、汗取りパットの形状が整えづらく、しかも、汗取りパットの人体若しくはブラジャーとの位置調整に手間と時間を要するという問題が生じていた。【０００７】  また、上述した３に開示の技術では、デリケートかつ敏感な胸まわりに取付具を付しており、その存在が違和感となって使用者のストレスとなるうえ、装着に手間を要するという問題が生じていた。【０００８】  また、上述した４に開示の技術では、バストラインより下方のみの領域に汗取りパットを当てており重力の影響を受けやすい構造と、立体構造をした乳房を平面で包むフィット性に欠ける構造と、またアンダーバスト部という最下端での固定のため、人体の動作に伴い汗取りパットがブラジャー内部で下の方へズレてしまい、ブラジャーの底にたゆむという問題が生じていた。【０００９】  このように、従来のブラジャー汗取りパットにおいては、上述した不具合が組み合わさるように存在しているため、ブラジャーを着用したままで装着と位置調整とを容易に行い得て、専用の取付具を使用することなく使用中のズレを抑制することができるものではなかった。【００１０】  そこで、本考案は、ブラジャーを着用したままで装着と位置調整とを容易に行い得て、専用の取付具を用いることなく使用中のズレを抑制することができるブラジャー汗取りパットを提供することを目的とする。
【課題を解決するための手段】
【００１１】  上記課題を解決するため、本考案のブラジャー汗取りパットは、左右の乳房をそれぞれ覆うように頂上部を有する山形状の立体構造をした一対のバスト部と、左右の前記頂上部を結ぶバストラインより２ｃｍから７ｃｍ下方を交点として上向きに拡開するＶ字形の上縁部と、前記一対のバスト部の下方に位置して、前記一対のバスト部のアンダーバストラインより３ｃｍから６ｃｍ下方に位置して展開状態で直線状の下縁部と、前記バスト部の前記頂上部を含むように上部と下部とで切り替える切替線と前記アンダーバストラインとの間に位置して左右の乳房の付け根の輪郭に添う立体構造をしているのではなく前記輪郭を有しない平面状の一対のバスト下部と、前記一対のバスト下部から続いて移行している前記アンダーバストラインと前記下縁部との間に位置する展開状態で平面構造の平面部と、を備える、ものである。
【考案の効果】
【００１２】  本考案のブラジャー汗取りパットは、ブラジャーを着用したままで装着と位置調整とを容易に行い得て、専用の取付具を用いることなく使用中のズレを抑制することができる。
【図面の簡単な説明】
【００１３】
【図１】ブラジャー汗取りパットの外面部となる展開状態での正面図である。
【図２】パットの内面部となる展開状態での背面図である。
【図３】パットの展開状態での側面図である。
【図４】パットの展開状態での平面図である。
【図５】使用状態を示す斜視図である。
【図６】パットの外面部及び内面部にあたる布地の構成と縫い合わせ部分を示した図である。
【００１４】  以下、本考案の一実施形態に係るブラジャー汗取りパットについて、図面を参照して説明する。なお、本考案に係る物品は、人体の正面から左右のバストを覆いそのまま両脇へと人体に倣うように、全体的にある程度の立体性を有しているが、説明の便宜上、バスト部の立体性を維持するように開いた状態、例えば、平面状のテーブル等においた状態（以下、「展開状態」と称する）を基準として説明する。【００１５】  図１〜図４において、ブラジャー汗取りパットＡは左右の乳房をそれぞれ覆うように頂上部ＴＰを有する山形状の立体構造をした一対のバスト部１と、一対のバスト部１の左右の頂上部ＴＰを結ぶバストラインＬ１より２ｃｍから７ｃｍ（距離Ｈ１）下方を交点として上向きに拡開するＶ字形の上縁部２と、一対のバスト部１の下方に位置して、一対のバスト部１のアンダーバストラインＬ２より３ｃｍから６ｃｍ（距離Ｈ２）下方に位置して展開状態で直線状の下縁部３と、バスト部１の頂上部ＴＰを含むように上部１ａと下部１ｂとで切り替える切替線６とアンダーバストラインＬ２との間に位置して展開状態では立体構造をしているが、左右の乳房の付け根の輪郭Ｌ３に添って乳房のような立体構造をしているのではなく輪郭Ｌ３を有しない平面状の一対のバスト下部４と、一対のバスト下部４から続いて移行しているアンダーバストラインＬ２から下縁部３との間に位置する展開状態で平面構造の平面部５を備えている。【００１６】  また、ブラジャー汗取りパットＡは人体に接しない側に布製の外面部と人体に接する側に布製の内面部を備えている。【００１７】  なお、上述した各寸法、すなわち、距離Ｈ１の２ｃｍから７ｃｍ、距離Ｈ２の３ｃｍから６ｃｍは、例えば、市販のブラジャーのサイズを基準として、Ｓから５Ｌまでのサイズ展開に対応したものである。また、平面状とは展開状態において見掛け上で平面性を有していることを意味し、厳密な平面性を要求しているものではない。【００１８】  ブラジャー汗取りパットＡは頂上部ＴＰを通過する切替線６により分離される上部１ａと下部１ｂに立体構造にするための操作を施し、その上部１ａと下部１ｂを縫い合わせることで、左右の乳房をそれぞれ覆うように頂上部ＴＰを有する山形状の立体構造をした一対のバスト部１を備える。【００１９】  すなわち、バスト部１は、頂上部ＴＰを含むように略円弧状の切替線６によって上部１ａと下部１ｂとに切り替えられている。【００２０】  ブラジャー汗取りパットＡの装着について説明すると、使用者は、まず着用したブラジャーＢの頂上部Ｂ−ＴＰにブラジャー汗取りパットＡの頂上部ＴＰを合わせ置く。【００２１】  次に、片手で反対の乳房を下の方から包み、そのままその手の外側部（小指のある方の側部）で乳房の付け根の下端を押え、ブラジャー汗取りパットＡが動かないように固定しながら、もう一方の手でブラジャーＢのアンダーバスト７だけを浮かせ、ブラジャーＢを乳房に被せると同時に固定している手を抜くとブラジャーＢの内部にブラジャー汗取りパットＡを入れ込むことができる。【００２２】  そして、その入れ込まれたブラジャー汗取りパットＡを軽く整えるだけで装着を終えることができる。上述のようにブラジャー汗取りパットＡは、最初に頂上部に合わせ置き、次に固定しながら浮かせ被せ、最後に軽く整える、という時間のかからない簡単な作業のみで装着ができる。つまりブラジャー汗取りパットＡはブラジャー着用のままで装着を容易に行うことができる。【００２３】  ブラジャー汗取りパットＡの一対のバスト下部４を平面状に、また、平面部５を平面構造にしていることで、入れ込みがやりやすくなる。ブラジャー汗取りパットＡの上縁部２をバストラインＬ１より低くすることによりブラジャー汗取りパットＡのバスト部１のバストを片方ずつ入れ込むとき、作業がやりやすくなる。【００２４】  また、着用したブラジャーＢの内部にブラジャー汗取りパットＡが入れ込まれたとき、ブラジャー汗取りパットＡのバスト部１の頂上部ＴＰを有する山形状の立体構造により、乳房の頂上部とブラジャー汗取りパットＡの頂上部ＴＰとブラジャーＢの頂上部Ｂ−ＴＰが一致しブラジャー汗取りパットＡの頂上部ＴＰが固定される。【００２５】  つまり、ブラジャー汗取りパットＡは、図５に示すように、頂上部ＴＰの左右２箇所が固定される結果、専用の取付具等を用いなくても使用中にブラジャーＢの内部でズレることはない。加えて、着用したブラジャーＢの内部にブラジャー汗取りパットＡが入れ込まれたとき、上述したブラジャー汗取りパットＡの下縁部３により、図５に示すように、ブラジャーＢのアンダーバスト７がブラジャー汗取りパットＡを押える状態となり、その状態がブラジャー汗取りパットＡのズレを抑制し、ズレの防止の効果をさらに上げてくれる。【００２６】  またブラジャー汗取りパットＡは取付具を不要としていることから、使用者の取付具へのストレスはなく、取付具を取り付ける手間も必要としない。着用したブラジャーＢの内部にブラジャー汗取りパットＡが入れ込まれて、すでにブラジャー汗取りパットＡの頂上部ＴＰの左右の２箇所が固定されている状態なので、ブラジャー汗取りパットＡの下方の位置調整はブラジャーＢのアンダーバスト７の内側に指を入れブラジャー汗取りパットＡを左右の乳房の下端を結んだライン、すなわち、人体のアンダーバストラインに添って指で撫でるだけで整えることができ、容易である。【００２７】  また、ブラジャー汗取りパットＡは、上述した下縁部３によりブラジャーＢのアンダーバスト７から下縁部３がはみ出していることと、上述した平面状の一対のバスト下部４と平面構造の平面部５とにより、体になじませやすくなるためさらに位置調整がやりやすくなる。【００２８】  ブラジャー汗取りパットＡの離脱もブラジャーＢを着用したまま下縁部３を摘まみ下へ引っ張り出すだけでできる。つまり、ブラジャー汗取りパットＡの使用者はブラジャーＢを着用したままブラジャー汗取りパットＡの装着及び離脱を容易に行うことができるうえ、装着時におけるブラジャー汗取りパットＡの位置調整も容易に行うことができるため、例えば、外出先でのブラジャー汗取りパットＡの交換も着用している衣服の裾をめくり上げて簡単にできる。【００２９】  ブラジャー汗取りパットＡは人体に接しない側に布製の外面部と人体に接する側に布製の内面部を備え、ブラジャー汗取りパットＡ全体が外面部と内面部の２層合わせであり、バスト部１と上縁部２���下縁部３とバスト下部４と平面部５とを備えることを特徴とする。【００３０】  ブラジャー汗取りパットＡの外面部及び内面部は、図６に示すように、切替線６で上部１ａと下部１ｂとを縫い合わせている。そして外面部と内面部は外周縁部で縫い合わせられ表裏一体となっている。【００３１】  この際、少なくても内面部の生地には天然素材、綿１００％の肌触り、通気性の良い生地を使い、少なくても内面部のアンダーバストラインＬ２をも含む比較的汗を多く発生する領域にあたる下部１ｂの生地には、吸水性、吸汗性の良いパイル地を使用している。ブラジャー汗取りパットＡを使用することによって、発生する汗を上述の綿生地、綿パイル地が吸収してくれる。【００３２】  ブラジャー汗取りパットＡの使用状態は次の通りである。【００３３】  図５に示すように、ブラジャーＢと人体の間にブラジャー汗取りパットＡが挟まれる状態での使用となる。また乳房の頂上部とブラジャー汗取りパットＡの頂上部ＴＰとブラジャーＢの頂上部Ｂ−ＴＰが一致する状態にして使用する。またブラジャー汗取りパットＡの下縁部３がブラジャーＢのアンダーバスト７の下方に位置する状態にして使用する。【００３４】  ブラジャー汗取りパットＡの装着方法は次の通りである。【００３５】  使用者は、まず、ブラジャー着用後、図１の面が使用者の体に接しない状態にして、ブラジャー汗取りパットＡのバスト部１の頂上部ＴＰを着用したブラジャーＢの頂上部Ｂ−ＴＰの上に両方とも軽く合わせ置く。【００３６】  次に、左手で右乳房を下の方から包み、そのままその手の外側部（小指のある方の側部）で乳房の付け根の下端を押え、ブラジャー汗取りパットＡが動かないように固定しながら、右手でブラジャーＢのアンダーバスト７を摘まんでアンダーバスト７だけを浮かせ、ブラジャーＢを右乳房に被せると同時に左手を抜くとブラジャーＢの内部にブラジャー汗取りパットＡを入れ込むことができる。【００３７】  左乳房も、右手で左乳房の下の方から包み、同様に固定しながら左手で入れ込む。その後、ブラジャー汗取りパットＡの左右の中心やバスト部１にゆがみがあれば、ブラジャーＢ上部の隙間から指を入れて軽く整える。【００３８】  最後に、使用者は、ブラジャーＢのアンダーバスト７の内側に指を入れて、ブラジャー汗取りパットＡを使用者の体のアンダーバストラインに添って中心から脇方向へ指で撫でて整える。整える作業が済んだら装着は終了する。【００３９】  ブラジャー汗取りパットＡの離脱は、右手の指でブラジャーＢのアンダーバスト７を摘まんで少し浮かせ、左手の指でブラジャー汗取りパットＡの下縁部３を摘まみ、下の方へ引っ張り出すだけで終了する。【００４０】  なお、ブラジャー汗取りパットＡは、一般的なブラジャーと同様に、洗濯すれば繰り返して使用することができる。また、上述したブラジャー汗取りパットＡの装着・離脱に対する使用者の手順は、使用者が右利きの場合である。したがって、使用者が左利きの場合には上述した手及び乳房の左右は逆になる。【００４１】  なお、以上の説明において、「直線」「平行」「平面」等の記載がある場合に、これらの各記載は厳密な意味ではない。すなわち、「直線」「平行」「平面」とは、設計上や製���上等における公差や誤差が許容され、「実質的に直線」「実質的に平行」「実質的に平面」という意味である。なお、ここでの公差や誤差とは、本考案の構成・作用・効果を逸脱しない範囲における単位のことを意味するものである。【００４２】  また、以上の説明において、各寸法は、厳密な数値を示したものではなく、例えば、製造時の切断や縫製によって生じる誤差等を含む。また、上述した寸法は、日本国内におけるブラジャーのカップ寸法を参照したものであり、海外仕様等の場合を排除するものではない。【００４３】  その他、本考案は、その趣旨を逸脱しない範囲内において、種々の変更が加えられて実施されるものである。【００４４】  例えば、上縁部２のＶ字形状は、その広がり角度や形状（例えば、Ｕの字状や四角形状等）を限定するものではなく、意匠上のデザイン設計や変更等に応じることができることは勿論である。【００４５】  また、例えば、形成方法は外面部の布地と内面部の布地とを外周縁部で縫い合わせ２層合わせにして形成する方法に限定するものではなく、例えば一枚仕立てにして外周縁部をバイアステープでくるんで形成する等の形成方法の変更にも応じることは勿論である。【００４６】  また、本考案は、その趣旨を逸脱しない範囲内において、種々の機能が加えられて実施されるものである。【００４７】  例えば、本考案は、ポケットを備えて、そこに保冷剤を入れることにより発汗を抑えるというような機能の追加にも応じることができることは勿論である。
【符号の説明】
【００４８】Ａ  ブラジャー汗取りパット
Ｂ  ブラジャー本体
１  バスト部
２  上縁部
３  下縁部
４  バスト下部
５  平面部
６  切替線
７  アンダーバスト
ＴＰ  頂上部
Ｂ−ＴＰ  頂上部
Ｌ１  バストライン
Ｌ２  アンダーバストライン
Ｌ３  乳房付け根の輪郭線
Ｉａ  上部
Ｉｂ  下部
【図１】
0003230602.tif 000003
【図２】
0003230602.tif 000004
【図３】
0003230602.tif 000005
【図４】
0003230602.tif 000006
【図５】
0003230602.tif 000007
【図６】
0003230602.tif 000008